(57)【特許請求の範囲】
【請求項１】
本体ケースと、該本体ケース内に設けられるロータと、該ロータと前記本体ケースとの間に、前記本体ケースと共に回転し得るように設けられる隔壁と、該隔壁により仕切られた室内に充填される粘性液体と、前記室内に前記ロータと共に回転し得るように設けられるベーンと、前記本体ケースの開口部を閉塞する蓋とを有し、前記本体ケースが、該本体ケースの回転を規制するストッパー部材を配置可能な凹部を有し、該凹部は、前記本体ケースの外周面よりも内側に在って、前記ストッパー部材と当接し得る当接部と、前記凹部内で前記ストッパー部材が移動し得る領域とを有し、前記隔壁として機能するものであることを特徴とするロータリーダンパ。
【発明の詳細な説明】
【技術分野】
【０００１】
本発明は、ロータリーダンパに関するものである。
【背景技術】
【０００２】
特開２００７−０５０７６５号公報には、本体ケースの外周面よりも外側に在って、本体ケースの回転を規制するストッパー部材を配置可能な案内溝を有するロータリーダンパが記載されている。案内溝は、ストッパー部材と当接し得る当接部と、案内溝内でストッパー部材が移動し得る領域とを有している。
【０００３】
しかしながら、このロータリーダンパでは、案内溝が、本体ケースの外周面よりも外側に在るため、ダンパの大きさが必然的に大きくなってしまうという欠点があった。また、案内溝が、本体ケースに突設された板状部材に形成されているため、ダンパの総重量も重いという欠点があった。
【先行技術文献】
【特許文献】
【０００４】
【特許文献１】特開２００７−０５０７６５号公報
【発明の概要】
【発明が解決しようとする課題】
【０００５】
本発明が解決しようとする課題は、小型で軽量なロータリーダンパを提供することである。
【課題を解決するための手段】
【０００６】
上記課題を解決するため、本発明は以下のロータリーダンパを提供する。
１．本体ケースと、該本体ケース内に設けられるロータと、該ロータと前記本体ケースとの間に、前記本体ケースと共に回転し得るように設けられる隔壁と、該隔壁により仕切られた室内に充填される粘性液体と、前記室内に前記ロータと共に回転し得るように設けられるベーンと、前記本体ケースの開口部を閉塞する蓋とを有し、前記本体ケースが、該本体ケースの回転を規制するストッパー部材を配置可能な凹部を有し、該凹部は、前記本体ケースの外周面よりも内側に在って、前記ストッパー部材と当接し得る当接部と、前記凹部内で前記ストッパー部材が移動し得る領域とを有し、前記隔壁として機能するものであることを特徴とするロータリーダンパ。
【発明の効果】
【０００７】
本発明のロータリーダンパによれば、本体ケースが、該本体ケースの回転を規制するストッパー部材を配置可能な凹部を有し、該凹部は、前記本体ケースの外周面よりも内側に在って、前記ストッパー部材と当接し得る当接部と、前記凹部内で前記ストッパー部材が移動し得る領域とを有し、隔壁として機能するものであるため、小型で軽量なロータリーダンパを提供することが可能になる。
【図面の簡単な説明】
【０００８】
【図１】図１は、参考例に係るロータリーダンパを示す平面図である。
【図２】図２は、参考例に係るロータリーダンパを示す正面図である。
【図３】図３は、参考例に係るロータリーダンパを示す底面図である。
【図４】図４は、図１におけるＡ−Ａ部断面図である。
【図５】図５は、図１におけるＢ−Ｂ部断面図である。
【図６】図６は、図２におけるＡ−Ａ部断面図である。
【図７】図７は、参考例に係るロータリーダンパの動作を説明するための図である。
【図８】図８は、本発明の一の実施の形態に係るロータリーダンパを示す平面図である。
【図９】図９は、本発明の一の実施の形態に係るロータリーダンパを示す正面図である。
【図１０】図１０は、本発明の一の実施の形態に係るロータリーダンパを示す底面図である。
【図１１】図１１は、図８におけるＡ−Ａ部断面図である。
【図１２】図１２は、図８におけるＢ−Ｂ部断面図である。
【図１３】図１３は、図９におけるＡ−Ａ部断面図である。
【図１４】図１４は、本発明の一の実施の形態に係るロータリーダンパの動作を説明するための図である。
【発明を実施するための形態】
【０００９】
以下、図面を参照しながら本発明の実施の形態を説明するが、本発明は以下に述べる実施の形態に限定されるものではない。
【参考例】
【００１０】
図１〜図３は、参考例に係るロータリーダンパを示す図である。これらの図に示したように、参考例に係るロータリーダンパは、本体ケース１が、凹部２を有して構成される。
【００１１】
凹部２は、円筒状の本体ケース１の外周面１ａよりも内側に存在している（図２及び図３参照）。参考例では、本体ケース１の底壁１ｂの一部に、一定の幅及び高さを有する弧状の凹みが形成され、この凹みが凹部２である（図２〜図５参照）。
【００１２】
凹部２は、その内部に本体ケース１の回転を規制するストッパー部材９を配置することが可能なものである（図７参照）。ストッパー部材９は、ロータリーダンパを構成する部材ではなく、ロータリーダンパによって回転動作が制御される可動体に設置されるものである。
【００１３】
凹部２は、ストッパー部材９と当接し得る当接部２ａ，２ｂと、凹部２内でストッパー部材９が移動し得る領域２ｃとを有している（図３及び図７参照）。
【００１４】
本体ケース１内には、本体ケース１又はロータ３の回転速度を減速し得るダンパ機構が設けられる。ダンパ機構としては、従来周知の様々な機構を利用することができる。参考例では、本体ケース１内に設けられるロータ３と、ロータ３と本体ケース１との間に、本体ケース１と共に回転し得るように設けられる隔壁４と、隔壁４により仕切られた室５内に充填される粘性液体６と、室５内にロータ３と共に回転し得るように設けられるベーン７と、本体ケース１の開口部を閉塞する蓋８とを有して構成されるダンパ機構が用いられている（図４〜図６参照）。
【００１５】
参考例で採用したダンパ機構によれば、ロータ３が回転不能に固定され、ロータ３の周りを本体ケース１が回転した場合には、隔壁４が粘性液体６を押圧し、押圧された粘性液体６がベーン７と本体ケース１との間に形成された僅かな隙間を通って移動するときに、粘性液体６の抵抗が発生し、その抵抗によって本体ケース１の回転速度が減速されることになる。
【００１６】
上記のように構成されるロータリーダンパは、ロータ３が回転不能に固定され、ロータ３の周りを本体ケース１が回転し得るように設置された場合には、図７に示したように、可動体に設置されたストッパー部材９が１つの凹部２に設けられた２つの当接部２ａ，２ｂの間（領域２ｃ）を移動するときは、本体ケース１が回転しない。したがって、ロータリーダンパは制動力を発揮せず、可動体は回動速度を減速されることなく回動する。
【００１７】
ストッパー部材９が、例えば一方の当接部２ｂに当接し、さらにその当接部２ｂを押す方向に移動したときには、それに伴い本体ケース１が回転し、本体ケース１内のダンパ機構が作動することにより、ロータリーダンパは制動力を発揮する。その結果、可動体の回動速度は、減速されることになる。
【００１８】
参考例に係るロータリーダンパを自動車のシートに適用した場合には、可動体であるシートバックが前方へ所定の角度まで回動する間は、シートバックに設置されたストッパー部材９が凹部２の領域２ｃを移動しているため、シートバックの回動速度は減速されない。そのシートバックが前方へ所定の角度を超えて回動したときは、ストッパー部材９が凹部２の一方の当接部２ｂに当接し、さらにその当接部２ｂを押す方向に移動するため、本体ケース１が回転し、それに伴い本体ケース１内のダンパ機構が作動することにより、ロータリーダンパが制動力を発揮して、シートバックの回動速度が減速されることになる。
【００１９】
逆に、前方へ倒されたシートバックが後方へ所定の角度まで回動する間は、ストッパー部材９が凹部２の領域２ｃを移動しているため、シートバックの回動速度は減速されない。そのシートバックが後方へ所定の角度を超えて回動したときは、ストッパー部材９が凹部２の他方の当接部２ａに当接し、さらにその当接部２ａを押す方向に移動するため、本体ケース１が回転し、それに伴い本体ケース１内のダンパ機構が作動することにより、ロータリーダンパが制動力を発揮して、シートバックの回動速度が減速されることになる。したがって、シートバックを回動させるときの安全性及び操作性を向上させることができる。
【００２０】
参考例に係るロータリーダンパは、上記したように、本体ケース１が、本体ケース１の回転を規制するストッパー部材９を配置可能な凹部２を有し、凹部２は、本体ケース１の外周面１ａよりも内側に在って、ストッパー部材９と当接し得る当接部２ａ，２ｂと、凹部２内でストッパー部材９が移動し得る領域２ｃとを有する。したがって、従来のダンパのように、本体ケースの外周面から突出した部分がないので、ダンパの小型化を実現し得る。また、本体ケース１に凹部２が設けられることによって、本体ケースに凹部がない典型的なダンパと比較しても、ダンパの総重量を軽くすることができる。また、本体ケースの外周面から突出した板状部材を有する従来のダンパと比較した場合には、ダンパの総重量を大幅に軽くすることができる。
【実施例】
【００２１】
図８〜図１０は、本発明の一の実施の形態に係るロータリーダンパを示す図である。これらの図に示したように、本実施例に係るロータリーダンパも、参考例に係るロータリーダンパと同様に、本体ケース１が凹部２を有して構成される。しかし、本実施例に係るロータリーダンパは、凹部２が隔壁４として機能するものである点で、参考例に係るロータリーダンパと異なる。
【００２２】
本実施例に係るロータリーダンパは、図１１〜図１３に示したように、本体ケース１と、本体ケース１内に設けられるロータ３と、ロータ３と本体ケース１との間に、本体ケース１と共に回転し得るように設けられる隔壁４と、隔壁４により仕切られた室５内に充填される粘性液体６と、室５内にロータ３と共に回転し得るように設けられるベーン７と、本体ケース１の開口部を閉塞する蓋８とを有して構成される。
【００２３】
本実施例では、本体ケース１内に存する隔壁４の表面が凹部２の内面であり、凹部２の外面は本体ケース１の外面の一部を成している。したがって、凹部２は、粘性液体が充填される室を仕切る隔壁４として機能している。
【００２４】
上記のように構成されるロータリーダンパは、ロータ３が回転不能に固定され、ロータ３の周りを本体ケース１が回転し得るように設置された場合には、図１４に示したように、可動体に設置されたストッパー部材９が１つの凹部２に設けられた２つの当接部２ａ，２ｂの間（領域２ｃ）を移動するときは、本体ケース１が回転しない。したがって、ロータリーダンパは制動力を発揮せず、可動体は回動速度を減速されることなく回動する。
【００２５】
ストッパー部材９が、例えば一方の当接部２ｂに当接し、さらにその当接部２ｂを押す方向に移動したときには、それに伴い本体ケース１が回転し、隔壁４が粘性液体６を押圧する。そして、押圧された粘性液体６がベーン７と本体ケース１との間に形成された僅かな隙間を通って移動するときに、粘性液体６の抵抗が発生し、その抵抗によって本体ケース１の回転速度が減速されることになる。その結果、可動体の回動速度も減速されることになる。
【００２６】
本実施例に係るロータリーダンパは、上記したように、凹部２が隔壁４として機能するものであるため、参考例に係るロータリーダンパよりも軸方向の長さを短縮することができる。したがって、ダンパの更なる小型化を実現し得る。また、本体ケース１の底壁１ｂの厚さを薄くできるだけでなく、凹部２によって隔壁４の背後に空間が形成されることになるため、参考例に係るロータリーダンパよりも更に軽量化を図ることができる。
【符号の説明】
【００２７】
１ 本体ケース
１ａ 本体ケースの外周面
１ｂ 本体ケースの底壁
２ 凹部
２ａ，２ｂ 当接部
２ｃ 領域
３ ロータ
４ 隔壁
５ 室
６ 粘性液体
７ ベーン
８ 蓋
９ ストッパー部材
【図１】
0005616141.tif 000002
【図２】
0005616141.tif 000003
【図３】
0005616141.tif 000004
【図４】
0005616141.tif 000005
【図５】
0005616141.tif 000006
【図６】
0005616141.tif 000007
【図７】
0005616141.tif 000008
【図８】
0005616141.tif 000009
【図９】
0005616141.tif 000010
【図１０】
0005616141.tif 000011
【図１１】
0005616141.tif 000012
【図１２】
0005616141.tif 000013
【図１３】
0005616141.tif 000014
【図１４】
0005616141.tif 000015